(57)【要約】      （修正有）【課題】出席者の簡単な協力により式の演出効果を高められ、のちに記念品とすることができるウエルカムボードを提供する。【解決手段】少なくとも新郎新婦の名前２１が表示されたシート状の表示部材１２と、該表示部材１２を保持する額部材１３を有する結婚式用ウエルカムボード１１とする。また、前記表示部材１２が、横よりも縦に長い形状であるとともに、前記表示部材１２には、幹と枝を有し葉を有しない木の図形２２ａを備えたウエディングツリー部２２と、新郎新婦の誓いの言葉が記された表現部２３を形成し、該表現部２３を、前記ウエディングツリー部２２の幹の根元より下に形成する。あたかも新郎新婦を象徴するかのような木の図形２２ａに対して、出席者が葉に見立てた指印を押したうえにサインをして記念品とする。【選択図】図１
0003178316.tif 000002
【実用新案登録請求の範囲】
【請求項１】
少なくとも新郎新婦の名前が表示されたシート状の表示部材と、該表示部材を保持する額部材を有する結婚式用ウエルカムボードであって、
前記表示部材が、横よりも縦に長い形状であるとともに、
前記表示部材には、幹と枝を有し葉を有しない木の図形を備えたウエディングツリー部と、文が記された表現部が形成され、
該表現部が、前記ウエディングツリー部の幹の根元より下に形成された
ウエルカムボード。
【請求項２】
前記新郎新婦の名前が、前記ウエディングツリー部の木の図形における幹部分に表示された
請求項１に記載のウエルカムボード。
【請求項３】
前記表現部の文が詩である
請求項１または請求項２に記載のウエルカムボード。
【請求項４】
前記額部材が、前記表示部材の表側を着脱可能に覆う透明の表板と、前記表示部材の裏側に着脱可能に設けられる裏板と、これら表板と裏板と表示部材の全周を囲み着脱可能に収容する枠状の枠体と、該枠体に設けられて前記表板と裏板と表示部材の収容状態を保持する押さえ部材を有する
請求項１から請求項３のうちのいずれか一項に記載のウエルカムボード。
【請求項５】
前記表示部材の表面の外周部に、前記表板との間に隙間をつくる枠状のスペーサが一体に設けられた
請求項４に記載のウエルカムボード。
【考案の詳細な説明】
【技術分野】
【０００１】
この考案は、結婚式や披露宴の会場の入り口に歓迎の意を込めて置かれるウエルカムボードに関し、より詳しくは、演出効果の高い結婚式用ウエルカムボードに関する。
【背景技術】
【０００２】
結婚式用ウエルカムボードは、新郎新婦の名前を表示しており、出席者に対して会場の場所を知らせるとともに、出席者に対して歓迎の気持ちを表すものである。このようなウエルカムボードは、さまざまに装飾が施されて、外観美麗に形成されており、近年では結婚式や披露宴に不可欠なものとなってきている。個性豊かなウエルカムボードもみられる。
【０００３】
しかしながら、ウエルカムボードは、一度使用したあとは、そのまま残しておいても披露宴等に使用したものであるという価値以上のものとはならない。
【０００４】
この点、下記特許文献１に開示されたウエルカムボードのように、のちに記念品となるように、出席者に祝辞を寄せ書きしてもらう領域が裏面に形成されたものがある。この構成によれば、出席者の祝辞があるので、ウエルカムボードとして使用された後は、出席者の祝福の気持ちをいつまでも大切にする記念品となる。
【０００５】
しかし、ウエルカムボードは１枚であるので、ウエルカムボードの裏面に寄せ書きをしてもらうことは、裏面の寄せ書き領域の広さや、式次第にそって進行せねばならない時間の面で制約があり、使用が困難な場合がある。また、書く側は、書く事項を即座に決めなければならず、出席者に対して過度の負担を強いてしまうこともある。
【０００６】
ウエルカムボードではないが、出席者の協力を得て会場で完成し、のちに新郎新婦の記念品となるものがある。これは一般にウエディングツリーと称され、幹と枝のみで葉のない裸の木の図形が描かれたシート材で構成されている。
【０００７】
このウエディングツリーは、出席者に緑色等のインクを用いて葉に見立てた指印をひとり１個ずつ押してもらい、その葉のそばにはサインを書いてもらうというものである。つまりウエディングツリーは祝福と結婚の承認の意味合いを持っている。
【０００８】
このようなウエディングツリーは、出席者が簡単に協力でき、高い演出効果が期待できる。
【０００９】
しかし、このウエディングツリーをウエルカムボードに使用したものはこれまでになかった。
【００１０】
また、ウエディングツリーを単にウエルカムボードに適用して、木の図形と新郎新婦の名前をウエルカムボードに表しただけでは、出席者に対して協力を一方的に求めるだけとなってしまい、歓迎の意を表すウエルカムボードとしては、不適切である。
【先行技術文献】
【特許文献】
【００１１】
【特許文献１】特開２００１−１３４１９１号公報
【考案の概要】
【考案が解決しようとする課題】
【００１２】
そこで、この考案は、ウエルカムボードとしての機能を十分に果たすとともに、出席者の簡単な協力により演出効果を高めることができるようにすることを主な目的とする。
【課題を解決するための手段】
【００１３】
そのための手段は、少なくとも新郎新婦の名前が表示されたシート状の表示部材と、該表示部材を保持する額部材を有する結婚式用ウエルカムボードであって、前記表示部材が、横よりも縦に長い形状であるとともに、前記表示部材には、幹と枝を有し葉を有しない木の図形を備えたウエディングツリー部と、文が記された表現部が形成され、該表現部が、前記ウエディングツリー部の幹の根元より下に形成されたウエルカムボードである。
【００１４】
この構成では、新郎新婦の名前を有する表示部材が、ウエルカムボードとして会場の場所と歓迎の意を表す。
【００１５】
そして、受付に際して、または式の最中において、表示部材のウエディングツリー部に指印を押してもらったりシールを貼付してもらったりするとともに、サインをしてもらうことにより、ウエディングツリーが完成する。
【００１６】
出席者がウエルカムボードを視認している間、前記表現部は、書いた言葉としての文、たとえば新郎新婦の誓いの言葉や感謝の気持ちを表す言葉などを、適宜の形式の文、たとえば詩で表現して、出席者に訴える。この表現部は、木の図形の幹の根元より下に形成されているので、表現部の上に木が立っている外観となり、この木の図形に、出席者が指印やシールなどで祝福と承認を行うことになる。つまり表現部で支えられた木に葉がつけられて飾られる構造であるので、表示部材の各部の配置が、表示部材の機能と対応する。
【００１７】
また、表示部材は横よりも縦に長い形状であるので、前記表示部の機能との対応を十分に表現できる上に、たとえば表示部材を横長形状にして、ウエディングツリー部と表現部を左右に並べた場合と比較して、指印等を付する位置が左右に偏っていないので、左右両側から木の図形までの距離を左右で等しくでき、左右に分かれた複数人が同時に指印等を付することも可能であり、ウエディングツリーの作成を円滑に進められる。また、指印等を付するときに圧力を受ける部分が左右で大きく偏らないことから、ウエルカムボードをたとえばイーゼルのような部材に置いて展示している状態でも、指印等を付することが可能である。
【００１８】
前記ウエルカムボードは、前記新郎新婦の名前が、前記ウエディングツリー部の木の図形における幹部分に表示されたものであるとよい。
【００１９】
この構成では、木の図形があたかも新郎と新婦を表すような外観となり、前述のような各部の配置による表示部材の機能が向上する。また、限られた面積の有効利用も図れる。
【００２０】
前記ウエルカムボードは、前記表現部の文が詩であるものであるとよい。ここで、詩とは、各種形式の詩のほか、散文的なものを含む意味である。
【００２１】
この構成では、趣を持たせて感情を表現できるので、演出効果を高められる。
【００２２】
前記ウエルカムボードは、前記額部材が、前記表示部材の表側を着脱可能に覆う透明の表板と、前記表示部材の裏側に着脱可能に設けられる裏板と、これら表板と裏板と表示部材の全周を囲み着脱可能に収容する枠状の枠体と、該枠体に設けられて前記表板と裏板と表示部材の収容状態を保持する押さえ部材を有するものであってもよい。
【００２３】
この構成では、ウエルカムボードを例えばイーゼルなどに立てて展示する場合や出席者に指印等を付してもらう場合には、表板を表示部材の裏側などに移して枠体に収納し、ウエディングツリーが完成した場合に表板を表示部材の表側に移動させれば、表示部材の保護が可能で外観美麗な記念品となる。
【００２４】
その場合、前記表示部材の表面の外周部に、前記表板との間に隙間をつくる枠状のスペーサが一体に設けられているとよい。
【００２５】
表示部材の表面にスペーサを一体に設けた場合には、スペーサが表示部材の形状を保持するので、指印等を付するときに受ける圧力に対して強度を得られる。またスペーサが表板との間に隙間をつくるので、指印等が直接表板に付着することはなく、外観の棄損を防げる。スペーサは、指印等を付する領域を制限する作用も果たす。
【考案の効果】
【００２６】
この考案によれば、特に新郎新婦の名前と表現部の表現によって、ウエルカムボードとしての機能を十分に果たすことができる。また、ウエディングツリー部に出席者が指印等を付するという簡単な協力で、全出席者共同で祝福を表現し、容易に記念品作りをすることができる。このため、式の演出に効果的に使用できるとともに、式のあとでも、新郎新婦にとって記念品として有効に利用できるウエルカムボードとなる。
【図面の簡単な説明】
【００２７】
【図１】ウエルカムボードの正面図。
【図２】分解状態のウエルカムボードの正面図。
【図３】図１のウエルカムボードの断面図。
【図４】表示部材の正面図。
【図５】表示部材を露出した状態のウエルカムボードの正面図。
【図６】図５のウエルカムボードの断面図。
【図７】他の例に係るウエルカムボードの部分断面図。
【考案を実施するための形態】
【００２８】
この考案を実施するための一形態を、以下図面を用いて説明する。  
図1はウエルカムボード１１の正面図であり、ウエルカムボード１１は、シート状（薄板状）の表示部材１２と、この表示部材１２を保持する額部材１３を有している。
【００２９】
額部材１３は、図２、図３に示したように、表示部材１２の表側を着脱可能に覆う透明の表板３１と、この表板３１と表示部材１２の間に介装されて隙間をつくる枠状をなす板状のスペーサ３２と、表示部材１２の裏側に着脱可能に設けられる裏板３３と、これら表板３１とスペーサ３２と裏板３３と表示部材１２の全周を囲み、着脱自在に収容する枠状の枠体３４と、この枠体３４に設けられて前記表板３１とスペーサ３２と裏板３３と表示部材１２の収容状態を保持する押さえ部材３５を有する。
【００３０】
前記表示部材１２が縦長の長方形であるので、表板３１とスペーサ３２と裏板３３の輪郭形状も表示部材１２と同様に長方形であり、枠体３４内にぴたりと収まる大きさである。
【００３１】
スペーサ３２にあっては、枠体３４の内側縁３４ａと同等またはそれより小さい大きさの長方形の切欠き窓を形成する内周縁３２ａを有し、前記表板３１を透過して表示部材１２の必要な部分を視認できるようにしている。
【００３２】
前記枠体３４は、断面略逆Ｌ字形に形成されており、裏面側から収容した前記表板３１等を表面側で抜け止めする構成である。
【００３３】
前記押さえ部材３５は、略長円形の板状に形成され、押さえ部材３５の一端部が枠体３４の裏面に回転可能に固定されている。固定は、枠体３４の適宜の複数個所に行われ、押さえ部材３５の他端部が枠体３４内の部材を押さえる位置と押さえない位置とに連続的に回転するように構成されている。
【００３４】
前記表示部材１２は、紙製で、長方形の表面内に、図４に示したように新郎新婦の名前２１とウエディングツリー部２２と表現部２３が形成されている。これらは、前記額部材１３に収容した状態でも外部から視認できるように、表示部材１２の外周縁から一定幅内側に入った位置より内側部分に形成される。形成は、プリントすることや直接描くことで行われる。
【００３５】
前記ウエディングツリー部２２は、幹と枝を有し葉を有しない木の図形２２ａと、ウエディングツリーであることを示すための「Ｗｅｄｄｉｎｇ  Ｔｒｅｅ」の文字２２ｂを備えている。
【００３６】
木の図形２２ａは、葉に見立てた指印を押す部分で、特に枝に沿った部分を中心に緑色等の色のインクで指印が押されることによって、葉が開いたような木の図形２２ａとなる。葉のほか、花や実に見立てたスタンプやシールなどを貼り付けてもよい。
【００３７】
木の図形２２ａは、縦にのびる１本の幹の中間部から上方の部分に多数本の枝を有する態様であって、木の図形２２ａの形状や大きさは、新郎新婦の好みや出席者の人数に応じて適宜描かれる。出席者の人数が多い場合には、木の図形２２ａも大きくなるので、前記表示部材１２の大きさも大きくなる。
【００３８】
木の図形２２ａは縦に長い長方形の表示部材１２の中央部より上側の部分に描かれ、木の図形２２ａの上方に「Ｗｅｄｄｉｎｇ  Ｔｒｅｅ」の文字２２ｂが表示されている。このようなウエディングツリー部２２は左右方向の中心にバランスよく描かれる。
【００３９】
そして、木の図形２２ａの幹部分には、結婚記念日となる日付２１ａと、新郎新婦の名前２１が、一部、幹に重なった状態で表示されている。このように表示することにより、木の図形２１の木が、新郎新婦の象徴のようなものとなる。
【００４０】
前記表現部２３は、文を記したものであり、ウエディングツリー部２２の幹の根元より下に、ウエディングツリー部２２とは別に形成されている。
【００４１】
表現部２３の文は、新郎新婦の誓いの言葉や感謝の言葉のように、ウエルカムボード１１にふさわしい言葉である。文の文体は、どのようなものであってもよいが、比較的短い文で趣を出すには、詩または詩のような形式の文であるのが好ましい。図示例では、新郎新婦の名前２１を取り入れて詩にした表現部２３を示している。
【００４２】
このような構成のウエルカムボード１１は、式の演出に応じてたとえば次のように使用される。
【００４３】
式の開始前にウエルカムボードとして使用するときには、図１に示したように表示部材１２を表板３１で覆った状態で額部材１３に収容し、図示しないイーゼル等を用いてよく見えるように立てかける。表板３１を外した状態で展示してもよい。
【００４４】
受付においてウエディングツリーを完成させる場合には、図５に示したように表示部材１２を露出させておく。つまり、たとえば図６に示したように、表板３１を表示部材１２と裏板３３との間に挟み込んだ状態にしてこれらを枠体３４内に収容する。この状態で出席者に、ウエディングツリー部２２の木の図形２２ａに葉に見立てた指印４１を押してもらう（図５参照）。指印４１を押すのに抵抗がある出席者には、葉を模したシール（図示せず）を貼ってもらったり、スタンプ（図示せず）を押してもらったりしてもよい。そして指印４１等の近傍には、承認の意味で、指印を付した人の名前を記入（サイン）をしてもらう。なお、サインの図示は便宜上省略している。
【００４５】
式の中でウエディングツリーを完成させる場合には、指印４１等を付する行為を式の途中で各ゲストテーブルに回して行ってもらう。額部材１３なしで表示部材１２のみで指印４１等を付してもらうようにしてもよい。
【００４６】
この場合には、図７に示したように、表示部材１２の表面に前記スペーサ３２をあらかじめ一体に固定しておくとよい。表示部材１２にスペーサ３２を固定するには、接着等の適宜の手段を採用できる。スペーサ３２が一体に固定されていると、表示部材１２の剛性が向上し、簡単には変形しないような強度が得られる。また、表示部材１２の表面のスペーサ３２は、その形状から、出席者が指印４１等をする際に指印４１等がなされること抑制するので、間違って指印等がされないように促すことができる。このため、出席者の協力のもと完成したウエディングツリーの一部の指印４１等が視認できなくなるようなことはなく、失敗のないウエディングツリー作成が期待できる。
【００４７】
ウエディングツリーが完成した後は、表板３１を表示部材１２の表に戻す。表示部材１２と表板３１の間にはスペーサ３２があるので、指印４１等が乾ききっていなくても、表板３１が指印４１に接触して指印４１や表板３１の外観が損なわれるのを防止できる。また表板３１は、表示部材１２を汚れの付着等から守る。
【００４８】
以上のように、新郎新婦の名前２１が表示された表示部材１２を有し、この表示部材１２にはそのほかに、「Ｗｅｄｄｉｎｇ  Ｔｒｅｅ」の文字２２ｂと、新郎新婦の誓いの言葉を表示する表現部２３を有するので、会場の場所を特定する機能と、歓迎の意を表す機能を十分に果たす。表現部２３は、詩の形式で表現されているので、演出効果を高められる。
【００４９】
しかも、表現部２３がウエディングツリー部２２を支持するような態様のレイアウトであるうえに、木の図形２２ａの幹部分に新郎新婦の名前２１が表示されているので、木の図形２２ａがあたかも新郎新婦を象徴するかのような印象を持たせるウエディングツリーとなる。しかも、葉のない裸の木の図形２２ａに、出席者の協力によって葉をつけて飾ってもらうと、共同作品としての一つのウエディングツリーが完成するので、前記レイアウトによる外観上および観念上の一体性による表現効果を発揮できる。
【００５０】
新郎新婦の名前を一部、木の図形２２ａに重ねているため、面積の有効利用も図れる。
【００５１】
また、表示部材１２は縦長の長方形状であるので、前記ウエディングツリー部２２と表現部２３を上下に分けて配置しても、必要な高さを確保することができる。この結果、前記レイアウトを生かして外観美麗な表示部材１２を形成できる。
【００５２】
そのうえ、たとえば表示部材１２を横長形状にして、ウエディングツリー部２２と表現部２３を左右に並べた場合と比較して、指印４１等が付される位置、つまりウエディングツリー部２２の位置が左右に偏っていないので、左右両側から木の図形２２ａまでの距離を等しくでき、左右に分かれた複数人が同時に指印４１等を付することも可能である。このため、ウエディングツリーの作成が効率よく速やかに進められる。
【００５３】
また、指印４１等を付するときに圧力を受ける部分が偏らないことから、ウエルカムボード１１をたとえばイーゼルのような部材に置いて展示している状態でも、指印等を付することが可能である。
【００５４】
ウエディングツリーが完成した表示部材１２は、表板３１に覆われた状態にして額部材１３内に保持されるので、前述のように表示部材１２を保護できる上に、外観美麗な記念品となる。つまり、ウエルカムボード１１に記念品としての十分な機能を持たせることができる。
【００５５】
前記一形態の構成は、この考案を実施するための一形態の構成であって、この考案は、前述の構成に限定されるものではなく、その他の構成を採用することができる。
【００５６】
例えば、前記ウエディングツリー部２２と表現部２３は別々ではなく、一部重なり合うようにして配置してもよく、新郎新婦の名前２１と日付２１ａは、表現部２３の近傍に表示したり重ねて表示したりしてもよい。
【符号の説明】
【００５７】
１１…ウエルカムボード
１２…表示部材
１３…額部材
２１…新郎新婦の名前
２２…ウエディングツリー部
２２ａ…木の図形
２３…表現部
３１…表板
３２…スペーサ
３３…裏板
３４…枠体
３５…押さえ部材
【図１】
0003178316.tif 000003
【図２】
0003178316.tif 000004
【図３】
0003178316.tif 000005
【図４】
0003178316.tif 000006
【図５】
0003178316.tif 000007
【図６】
0003178316.tif 000008
【図７】
0003178316.tif 000009